(57)【要約】［課題］　杉間伐材等の木炭粉末および各種ゼオライトを土壌改良資材として別々に使用しているため良い効果が出ないでいる。また、作物毎の使用数量や効果等が一定しないため使い勝手の改善やリサイクル拡大が望まれている。［解決手段］　木炭粉末と各種人工ゼオライトを用途別にあった物を混合製造して相乗効果を創出し、併せて、飛散しないよう水分調整や造粒を行い使い勝手を改善すると共にマニアル等により使用者が安心して使用できるようにする。【特許請求の範囲】
【請求項１】
木炭粉末及び人工ゼオライトを用途別に混合製造した物が野菜や果樹や穀物や花卉などの作物の安定栽培を向上可能にする土壌改良資材の製造方法。タン・ゼオ資材の製造。
【請求項２】
木炭粉末および人工ゼオライトを用途別に混合製造した物が野菜や果樹や穀物や花卉などの作物の安定栽培を向上可能にする土壌改良資材のタン・ゼオ資材の使用方法。
【発明の詳細な説明】
【０００１】
［発明の属する技術分野］
本発明は、土壌改良資材として、木炭粉末と人工ゼオライトを用途別の混合製造方法と、相乗効果をより創出する使用量や取扱いに関する。
【０００２】
［従来の技術］
木炭については、土壌改良資材として一般的に認知されているが、木炭の原材料や製造技術や製造方法により品質や用途別に大差があり用途に適合しないものもあります。結果として杉間伐材等を活用するたのに木炭化したものが大量に普及しない原因の一つにもなっている。良質で多目的に使い勝手がよい土壌改良材の開発が待たれている。
【０００３】
人工ゼオライトは１０年程前から製造されているが、陽イオン交換能力が高く有効な土壌改良資材であるにも関わらず、使用法が確立されてないため、土壌改良材の分野では一般的に普及されていない。石炭焼却灰等各種の焼却灰の人工ゼオライトの普及しない原因の一つにもなっている。
【０００４】
木炭粉末と人工ゼオライトを別々に使用したものは、作物への使用量や使用時期が一定しないので、併用や混合使用が難しく、一般に普及していない。
【０００５】
［発明が解決しようとする課題］
現在、木炭粉末は土壌改良資材として用途に合ったものが少ないため期待する効果が出ない等の問題点があった。
【０００６】
また、木炭粉末と各種人工ゼオライトの土壌改良剤とを栽培作物ごとに別々に使用しているため、これらの組合せや混合による使用方法が明確でなく、良質な土壌改良資材であるにもかかわらず多用途に使用し難いなどの問題点があった。
【０００７】
本発明は、木炭粉末と各種人工ゼオライトとを用途別に適宜混合し、使い勝手をよくするために適度の大きさに造粒し、木炭粉末と各種人工ゼオライトのそれぞれの性能を相乗させて使用効果を高めて、前述の問題を解決する製造方法を提供することを目的とする。
【０００８】
［課題を解決するための手段］
土壌改良資材として、用途別に合った木炭粉末及び各種人工ゼオライトと、造粒するためのバインダーとして粘土等と混練製造した物を乾燥させて製造する。
【０００９】
使い勝手をよくするために、製造されたタン・ゼオ資材を入れる容器やマニアルに使用方法や使用量を明示し、使用しやすいように改善する。
【００１０】
［発明の実施の形態］
本発明は、杉間伐材やその他の間伐材や木材や樹皮材などを炭化炉で木炭化した後、用途別に適度に微粉砕製造したものを人工ゼオライトと混合し、用途別によっては、粘土等やその他のバインダーで固めて造粒し土壌改良資材であるタン・ゼオ資材を製造する。
【００１１】
木炭の炭化条件は、炭化温度は５００℃から６００℃程度が適宜によい。
【００１２】
微細孔は１５オングストローム以下が各種肥料イオンや農薬イオンの吸着に好ましく適する。
【００１３】
陽イオン交換能力は高いほど好ましいが杉間伐材では１００グラム中数ｍｅｑであり性能を期待することができない。
【００１４】
ペーハーは使用する作物や圃場によって異なるが６．５乃至７．５前後のものが多目的に活用できる。
【００１５】
陽イオン交換能力は原料によって大差があるが硬い木材原料ほど数字が高くなり２０ｍｅｑ程度以下であり、陽イオン交換能力としての期待はできない。
【００１６】
ペーハーは炭化温度が高くなるにつれて数字が高くなる。杉間伐材の場合は炭化時間が２０時間前後の場合、炭化温度は５００から６００℃で製造した物はペーハーは７．０前後から８．５前後である。
【００１７】
人工ゼオライトは、微細孔が１０オングストローム以下で、５オングストロームのものが５０％前後のものが各種肥料イオンや農薬イオンや重金属イオンの吸着に好ましい。
【００１８】
陽イオン交換能力は高い程好ましく２２０ｍｅｑ前後以上のものが石炭灰で製造できている。製紙スラッジ焼却灰でも同程度である。
【００１９】
人工ゼオライトに炭素成分が多く含有されているものが好ましい。
【００２０】
前述の項目番号０００９から００１４の条件のもとで製造した木炭粉末と人工ゼオライトを混合撹拌し、一定に混合して天然物の粘土等や合成物のバインダーで接着しタン・ゼオ資材を製造する。
【００２１】
本発明は、製造したタン・ゼオ資材を農機具で自動または手動にて作物の圃場へ直接散布し耕うん機で耕す。施設栽培の場合も同様である。
【００２２】
使用量は、作物の栽培地により、また、使用する一般肥料の元肥や栽培方法により違いがあり多岐に分類される。以下に集約栽培する作物ごとに分類し、タン・ゼオ資材の１０アール１作当りの標準的な使用方法を説明する。
【００２３】
杉間伐材の木炭粉末と石炭灰及び製紙スラッジ焼却灰の人工ゼオライトの混合比率は、含水率２０％程度に調節した物を、木炭粉末５０％対５０％とし、ペーハーは７．０乃至８．０前後ものを使用しての説明である。
【００２４】
使用量として、果菜類は５００〜１０００ｋｇ、根菜類は３００〜６００ｋｇ、葉菜類は６０〜８０ｋｇ、果樹類は年間３００〜６００ｋｇ、茶は２００〜３００ｋｇ、いちごは２００〜３００ｋｇ、ゆり科やしょうが科類は２００〜３００ｋｇ、畑ワサビは２００〜３００ｋｇ、菊科類は３００〜６００ｋｇ、水稲など穀物類は年間１００ｋｇ、花卉は大型もので３００〜６００ｋｇ、小型のもで２００〜３００ｋｇバラは５００〜１０００ｋｇ、野菜や花卉の育苗倍土は重量の３〜５パーセント程度、牛や豚の厩肥は重量の１〜２％程度、鳥糞は重量の３〜５パーセント程度である。
【００２５】
前述の木炭粉末と人工ゼオライトの混合比率は、木炭の原材料や人工ゼオライトの原材料等により、また、用途別や顧客の要望により、混合比率や水分を適宜に調整することができる。特に前述の数字に固定する物ではない。
【００２６】
前述の使用量の数字は木炭粉末にあっては、透水性や通気性、石灰などの無機養分の補充、土壌のペーハーの調節、有用微生物の活性化、過剰な肥料や農薬の吸着である。人工ゼオライトについては前述の効果をさらに強化や補充を行い、加えて陽イオン交換容量が２２０乃至２５０程と高いことから混合併用することによって更なる相乗効果がでます。特に、ペーハーの安定や肥料の流防や珪素やアルミナ等の微量要素の補充効果が高い。
【００２７】
製造物であるタン・ゼオ資材は、前述の効果や機能に加えて、生育を助長させるために、人工ゼオライトはカルシウム型やマグネシウム型や鉄型やカリウム型等を単独または種々混合して使用すると尚一層よい効果がでます。
【００２８】
また、夏期や高温期に発生する病気予防や軽減に銀型や銅型等の抗菌性のある人工ゼオライトを混合または併用使用すると更に良い効果があります。
【００２９】
水稲田において発生する夏期や高温期の硫化水素の発生を陽イオン交換能力や触媒能力を持っている人工ゼオライトで吸着分解すると良い効果があります。
【００３０】
木炭粉末と人工ゼオライトは各種有用微生物の繁殖域として良い効果があると共に作物の根圏域の環境条件を向上改善することにより作物の生長や収穫によい効果があります。
【００３１】
木炭粉末と人工ゼオライトの混合物であるタン・ゼオ資材は人工ゼオライトの陽イオン交換能力により土壌表面の各種塩類の集積を防止または軽減することができ、作物の生育がよくなります。
【００３２】
特にホウレン草に顕著に、小松菜などの葉菜類にも良い使用効果がでます。
【００３３】
また、ペーハーの安定は有用土壌微生物相の安定増殖域となり作物の安定生長や増収になります。
【００３４】
ペーハーの安定は、特にアカザ科のホウレン草に顕著に効果がでて、増収穫に繋げていくことができます。
【００３５】
タン・ゼオ資材は耕起撹拌により土壌中に混合され、土壌中の有用微生物生態系の化学肥料施肥時の緩衝能安定にもなり、ペーハー（ｐＨ）の安定や土壌中の養水分保持能の向上が増し、栽培が難しいホウレン草や菊科等、作物の連作障害軽減になり、よい土壌づくりに繋げることができます。
【００３６】
［発明の効果］
木炭粉末と人工ゼオライトを用途別に合った物を混合製造することにより、作業者は一度に散布する事ができるので作業が簡便化し作業能率が向上する。
【００３７】
また、使用方法や使用量を容器やマニアルに明示することにより、作業者の使い勝手がよくなります。
【００３８】
使い勝手がよくなることにより。多用途に拡大すると共に、木炭粉末の持っている機能と人工ゼオライトの機能が相乗効果し、作物の生育や収穫物に良い効果があり良質の栽培向上につなげていくことができます。
【００３９】
使い勝手や効果の向上改善により土壌改良資材として、杉間伐材等の木炭や廃物である人工ゼオライの用途拡大に繋げていくことができます。
【００４０】
リサイクルの有効活用により環境保全の維持や向上にも役立つことができます。